(57)【要約】【課題】実店舗での商品又はサービスの販売に関し、実社会で行動する顧客をアフィリエイタとする。【解決手段】利用者が携帯電話３００で商品タグ１００から商品情報７８０を読み取ると、携帯電話３００は買物情報４３０を作成して買物・精算管理システム５００に転送し、買物・精算管理システム５００は買物情報４３０から精算情報５８０を生成してストアシステム７００に転送し、ストアシステム７００は精算処理を行う。利用者が携帯電話３００で商品タグ１００から商品情報７８０を読み取る際、アフィリエイタ登録の操作を行うと、その利用者の利用者ＩＤと商品タグ１００とを関連付けておき、その利用者のアフィリエイタとしての行動に起因して他の利用者が商品タグ１００から商品情報７８０を読み取ると、商品タグ１００に関連付けられた利用者ＩＤの利用者に報酬が支払われるように制御する。【選択図】図２
2014109868.tif 000002
【特許請求の範囲】
【請求項１】
商品又はサービスに関する情報が記録されて当該商品又はサービスに対応付けられた情報記録媒体から携帯型の情報読み取り装置で読み取られた当該情報に基づく当該商品又はサービスの購入要求を処理する装置であって、
第１のユーザが前記商品又はサービスに関連付けてアフィリエイタとして登録されるように制御する制御部と、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、当該第１のユーザを、当該第２のユーザによる当該商品又はサービスの購入を誘発したアフィリエイタに決定する決定部と
を含む、装置。
【請求項２】
前記制御部は、前記第１のユーザが、他のユーザのアフィリエイタとしての行動に起因せずに、前記商品又はサービスの購入を要求することを条件の１つとして、当該第１のユーザが当該商品又はサービスに関連付けてアフィリエイタとして登録されるように制御する、請求項１の装置。
【請求項３】
前記制御部は、前記第１のユーザが、他のユーザに関する前記商品又はサービスに対応付けられた情報記録媒体から携帯型の情報読み取り装置で情報を読み取り、当該情報に基づいて当該商品又はサービスの購入を要求することを条件の１つとして、当該第１のユーザが当該商品又はサービスに関連付けてアフィリエイタとして登録されるように制御する、請求項１の装置。
【請求項４】
前記制御部は、前記第２のユーザ及び当該第２のユーザの行動に起因して前記商品又はサービスの購入を要求したユーザの何れかである第３のユーザに関連付けてアフィリエイタとして登録されるように制御し、
前記決定部は、第４のユーザが、前記第３のユーザに関する前記商品又はサービスに対応付けられた情報記録媒体から携帯型の情報読み取り装置で情報を読み取り、当該情報に基づいて当該商品又はサービスの購入を要求すると、当該第３のユーザ及び当該第３のユーザによる当該商品又はサービスの購入を誘発したアフィリエイタであるユーザのうちの少なくとも１人のユーザを、当該第４のユーザによる当該商品又はサービスの購入を誘発したアフィリエイタに決定する、請求項１乃至請求項３の何れかの装置。
【請求項５】
前記決定部は、前記少なくとも１人のユーザを含む複数のユーザを、前記第４のユーザによる前記商品又はサービスの購入を誘発したアフィリエイタに決定し、
前記制御部は、前記複数のユーザの各ユーザに対して、当該各ユーザが他のユーザによる当該商品又はサービスの購入を誘発した順序に基づく量の報酬の精算が行われるように制御する、請求項４の装置。
【請求項６】
前記情報記録媒体は、前記商品に付された商品タグ、前記商品又はサービスを購入した証拠として渡されたレシート、及び、当該商品タグ又は当該レシートから情報を読み取った携帯型の情報読み取り装置の何れかである、請求項１乃至請求項５の何れかの装置。
【請求項７】
前記商品タグは、２次元バーコードが印刷されたタグ及びＮＦＣ（Near Field Communication）タグの何れかである、請求項６の装置。
【請求項８】
商品情報が記録されて商品に付された商品タグから携帯型の情報読み取り装置で読み取られた当該商品情報に基づく当該商品の購入要求を処理する装置であって、
第１の購入者が、前記商品の一の個体に付された商品タグから携帯型の情報読み取り装置で前記商品情報を読み取り、当該商品情報に基づいて当該商品の当該一の個体の購入を要求すると、当該第１の購入者が当該商品の当該一の個体のアフィリエイタとなることを希望する場合には、当該第１の購入者が当該商品の当該一の個体の購入を要求していることを示し、かつ、当該第１の購入者が当該商品の当該一の個体のアフィリエイタとなることを示す第１の購入情報を取得する取得部と、
前記取得部により取得された前記第１の購入情報を用いて、前記第１の購入者による前記商品の前記一の個体の代金の精算のための情報であって、当該第１の購入者が当該商品の当該一の個体のアフィリエイタであることを示す情報である精算情報を生成することにより、当該第１の購入者による当該商品の当該一の個体の代金の精算が行われ、かつ、当該商品の当該一の個体に新たに付される新たな商品タグに前記商品情報と当該第１の購入者とを対応付けた新たな商品情報が記録されるように、制御する制御部と
を備え、
前記取得部は、第２の購入者が、前記商品の前記一の個体に付された前記新たな商品タグから携帯型の情報読み取り装置で前記新たな商品情報を読み取り、当該新たな商品情報に基づいて当該商品の当該一の個体とは異なる他の個体の購入を要求すると、当該第２の購入者が当該商品の当該他の個体の購入を要求していることを示し、かつ、当該第２の購入者による当該商品の購入が当該新たな商品情報において前記商品情報に対応付けられた前記第１の購入者のアフィリエイタとしての行動に起因することを示す第２の購入情報を取得し、
前記制御部は、前記取得部により取得された前記第２の購入情報を用いて、前記第２の購入者による前記商品の代金及び前記第１の購入者への報酬の精算のための精算情報を生成することにより、当該第２の購入者による当該商品の当該他の個体の代金の精算が行われ、かつ、当該第１の購入者への報酬の精算が行われるように、制御する、装置。
【請求項９】
商品情報が記録されて商品に付された商品タグから携帯型の情報読み取り装置で読み取られた当該商品情報に基づく当該商品の購入要求を処理する装置であって、
第１の購入者が、前記商品の一の個体に付された商品タグから携帯型の情報読み取り装置で前記商品情報を読み取り、当該商品情報に基づいて当該商品の当該一の個体の購入を要求すると、当該第１の購入者が当該商品の当該一の個体のアフィリエイタとなることを希望する場合には、当該第１の購入者が当該商品の当該一の個体の購入を要求していることを示し、かつ、当該第１の購入者が当該商品の当該一の個体のアフィリエイタとなることを示す第１の購入情報を取得する取得部と、
前記商品の前記一の個体と前記第１の購入者とを対応付けた対応情報を記憶する記憶部と、
前記取得部により取得された前記第１の購入情報を用いて、前記第１の購入者による前記商品の代金の精算のための精算情報を生成することにより、当該第１の購入者による前記商品の代金の精算が行われるように、制御する制御部と
を備え、
前記取得部は、第２の購入者が、前記商品の前記一の個体に付された前記商品タグから携帯型の情報読み取り装置で前記商品情報を読み取り、当該商品情報に基づいて当該商品の当該一の個体とは異なる他の個体の購入を要求すると、当該第２の購入者が当該商品の当該他の個体の購入を要求していることを示す第２の購入情報を取得し、当該第２の購入者による当該商品の購入が前記対応情報において当該商品の当該一の個体に対応付けられた前記第１の購入者のアフィリエイタとしての行動に起因することを示すように当該第２の購入情報を更新し、
前記制御部は、前記取得部による更新後の前記第２の購入情報を用いて、前記第２の購入者による前記商品の代金及び前記第１の購入者への報酬の精算のための精算情報を生成することにより、当該第２の購入者による当該商品の当該他の個体の代金の精算が行われ、かつ、当該第１の購入者への報酬の精算が行われるように、制御する、装置。
【請求項１０】
商品又はサービスに関する情報が記録されて当該商品又はサービスに対応付けられた情報記録媒体から携帯型の情報読み取り装置で読み取られた当該情報に基づく当該商品又はサービスの購入要求を処理するシステムであって、
前記商品又はサービスに対応付けられる情報記録媒体に第１のユーザが当該商品又はサービスのアフィリエイタであることを示すアフィリエイト情報を記録する記録部と、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、前記アフィリエイト情報により当該商品又はサービスのアフィリエイタであることが示される当該第１のユーザを、当該第２のユーザによる当該商品又はサービスの購入を誘発したアフィリエイタに決定する決定部と、
前記決定部により前記第２のユーザによる前記商品又はサービスの購入を誘発したアフィリエイタに決定された前記第１のユーザへの報酬の精算処理を行う精算処理部と
を含む、システム。
【請求項１１】
商品又はサービスに関する情報が記録されて当該商品又はサービスに対応付けられた情報記録媒体から携帯型の情報読み取り装置で読み取られた当該情報に基づく当該商品又はサービスの購入要求を処理する方法であって、
第１のユーザを前記商品又はサービスに関連付けてアフィリエイタとして登録するステップと、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、当該第１のユーザを、当該第２のユーザによる当該商品又はサービスの購入を誘発したアフィリエイタに決定するステップと
を含む、方法。
【請求項１２】
商品又はサービスに関する情報が記録されて当該商品又はサービスに対応付けられた情報記録媒体から携帯型の情報読み取り装置で読み取られた当該情報に基づく当該商品又はサービスの購入要求を処理する装置として、コンピュータを機能させるプログラムであって、
前記コンピュータを、
第１のユーザが前記商品又はサービスに関連付けてアフィリエイタとして登録されるように制御する制御部と、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、当該第１のユーザを、当該第２のユーザによる当該商品又はサービスの購入を誘発したアフィリエイタに決定する決定部と
して機能させる、プログラム。
【発明の詳細な説明】
【技術分野】
【０００１】
本発明は、商品又はサービスの購入要求を処理する装置及び方法に関する。特に、本発明は、商品又はサービスに関する情報が記録されて商品又はサービスに対応付けられた情報記録媒体から携帯型の情報読み取り装置で読み取られた情報に基づく商品又はサービスの購入要求を処理する装置及び方法に関する。
【背景技術】
【０００２】
急速に普及しているＥＣ（E-Commerce）サイトでのインターネット電子商取引では、アフィリエイタが自身のブログやＷＥＢページに商品の紹介や評価を書いてＥＣサイトへのリンクを張り、第三者がそこを経由してＥＣサイトで商品を見たり購入したりした場合に、ＥＣサイトの企業から報酬を得るアフィリエイトモデルが採用されている。アフィリエイトモデルは、ＥＣサイトにとっては宣伝費をかけずに多くの顧客を集めることができ、またアフィリエイタにとってはリンクを張るだけで報酬が得られるという優れたビジネスモデルである。
【０００３】
ここで、アフィリエイトモデルを用いる技術は、公報記載の技術としても知られている（例えば、特許文献１、２参照）。
【０００４】
特許文献１は、購入対象となる実商品の傍らに、商品購入のためのアクセス先情報と共に、広告主の情報と一体となった商品情報が掲載されたカード（グッズカード）を備え、商品購入のためのアクセス先にアクセスして商品購入の手続を行う際に、商品購入のための商品情報の端末への入力がそのまま広告主情報の入力となるように、広告主情報の入力が不可避となるようにし、その広告主情報を元に販売促進システムは、広告主に支払うべき広告料を算出する技術を開示する。
【０００５】
特許文献２は、携帯型端末に関する情報と、公開サーバ上に開設された、実店舗で販売される商品を掲載した提携サイトに関する情報を事前に情報記憶部に登録しておき、携帯型端末から提携サイトにアクセスがあるとその履歴を情報記憶部に登録し、実店舗において商品を購入した際に、携帯型端末が、商品に付されたコード情報を取得し、コード情報に含まれる商品識別情報を管理サーバに送信し、管理サーバは、受信した商品識別情報を掲載した提携サイトに対して報酬ポイントを加算する技術を開示する。
【先行技術文献】
【特許文献】
【０００６】
【特許文献１】特開２００６−１２６９４８号公報
【特許文献２】特開２００７−２４１５０８号公報
【発明の概要】
【発明が解決しようとする課題】
【０００７】
しかしながら、特許文献１の技術は、ＥＣサイトでの商品の販売に関し、実店舗をアフィリエイタとして実店舗に報酬を支払う仕組みを提案するものである。
また、特許文献２の技術は、実店舗での商品の販売に関し、提携サイトをアフィリエイタとして提携サイトに報酬を支払う仕組みを提案するものである。
即ち、特許文献１、２の技術は、まだ売上げの多くを占める実店舗での商品の販売に関し、実社会で行動する顧客をアフィリエイタとしてその顧客に報酬を支払う仕組みを提案するものではない。実店舗で商品を購入する顧客は、実際に商品を購入した顧客による直接の紹介やネットのクチコミによる紹介を頼りに実店舗を訪れるしかなく、また、紹介した顧客に報酬が支払われるようなモデルは、その精算メカニズム上構築できなかった。尚、同様のことは実店舗でのサービスの販売に関しても当てはまる。
【０００８】
本発明は、実店舗での商品又はサービスの販売に関し、実社会で行動する顧客をアフィリエイタとすることを目的とする。
本発明の他の目的は、実店舗での商品又はサービスの販売に関し、実社会で行動するアフィリエイタによるアフィリエイトの連鎖を把握することを目的とする。
【課題を解決するための手段】
【０００９】
かかる目的のもと、本発明は、商品又はサービスに関する情報が記録されて商品又はサービスに対応付けられた情報記録媒体から携帯型の情報読み取り装置で読み取られた情報に基づく商品又はサービスの購入要求を処理する装置であって、第１のユーザが商品又はサービスに関連付けてアフィリエイタとして登録されるように制御する制御部と、第２のユーザが、第１のユーザに関する商品又はサービスに対応付けられた情報記録媒体から携帯型の情報読み取り装置で情報を読み取り、情報に基づいて商品又はサービスの購入を要求すると、第１のユーザを、第２のユーザによる商品又はサービスの購入を誘発したアフィリエイタに決定する決定部とを含む、装置を提供する。
【００１０】
ここで、制御部は、第１のユーザが、他のユーザのアフィリエイタとしての行動に起因せずに、商品又はサービスの購入を要求することを条件の１つとして、第１のユーザが商品又はサービスに関連付けてアフィリエイタとして登録されるように制御する、ものであっても、第１のユーザが、他のユーザに関する商品又はサービスに対応付けられた情報記録媒体から携帯型の情報読み取り装置で情報を読み取り、情報に基づいて商品又はサービスの購入を要求することを条件の１つとして、第１のユーザが商品又はサービスに関連付けてアフィリエイタとして登録されるように制御する、ものであってもよい。
【００１１】
また、制御部は、第２のユーザ及び第２のユーザの行動に起因して商品又はサービスの購入を要求したユーザの何れかである第３のユーザに関連付けてアフィリエイタとして登録されるように制御し、決定部は、第４のユーザが、第３のユーザに関する商品又はサービスに対応付けられた情報記録媒体から携帯型の情報読み取り装置で情報を読み取り、情報に基づいて商品又はサービスの購入を要求すると、第３のユーザ及び第３のユーザによる商品又はサービスの購入を誘発したアフィリエイタであるユーザのうちの少なくとも１人のユーザを、第４のユーザによる商品又はサービスの購入を誘発したアフィリエイタに決定する、ものであってよい。
その場合、決定部は、少なくとも１人のユーザを含む複数のユーザを、第４のユーザによる商品又はサービスの購入を誘発したアフィリエイタに決定し、制御部は、複数のユーザの各ユーザに対して、各ユーザが他のユーザによる商品又はサービスの購入を誘発した順序に基づく量の報酬の精算が行われるように制御する、ものであってもよい。
また、情報記録媒体は、商品に付された商品タグ、商品又はサービスを購入した証拠として渡されたレシート、及び、商品タグ又はレシートから情報を読み取った携帯型の情報読み取り装置の何れかであってよい。
その場合、商品タグは、２次元バーコードが印刷されたタグ及びＮＦＣ（Near Field Communication）タグの何れかであってよい。
【００１２】
更に、本発明は、商品情報が記録されて商品に付された商品タグから携帯型の情報読み取り装置で読み取られた商品情報に基づく商品の購入要求を処理する装置であって、第１の購入者が、商品の一の個体に付された商品タグから携帯型の情報読み取り装置で商品情報を読み取り、商品情報に基づいて商品の一の個体の購入を要求すると、第１の購入者が商品の一の個体のアフィリエイタとなることを希望する場合には、第１の購入者が商品の一の個体の購入を要求していることを示し、かつ、第１の購入者が商品の一の個体のアフィリエイタとなることを示す第１の購入情報を取得する取得部と、取得部により取得された第１の購入情報を用いて、第１の購入者による商品の一の個体の代金の精算のための情報であって、第１の購入者が商品の一の個体のアフィリエイタであることを示す情報である精算情報を生成することにより、第１の購入者による商品の一の個体の代金の精算が行われ、かつ、商品の一の個体に新たに付される新たな商品タグに商品情報と第１の購入者とを対応付けた新たな商品情報が記録されるように、制御する制御部とを備え、取得部は、第２の購入者が、商品の一の個体に付された新たな商品タグから携帯型の情報読み取り装置で新たな商品情報を読み取り、新たな商品情報に基づいて商品の一の個体とは異なる他の個体の購入を要求すると、第２の購入者が商品の他の個体の購入を要求していることを示し、かつ、第２の購入者による商品の購入が新たな商品情報において商品情報に対応付けられた第１の購入者のアフィリエイタとしての行動に起因することを示す第２の購入情報を取得し、制御部は、取得部により取得された第２の購入情報を用いて、第２の購入者による商品の代金及び第１の購入者への報酬の精算のための精算情報を生成することにより、第２の購入者による商品の他の個体の代金の精算が行われ、かつ、第１の購入者への報酬の精算が行われるように、制御する、装置も提供する。
【００１３】
更にまた、本発明は、商品情報が記録されて商品に付された商品タグから携帯型の情報読み取り装置で読み取られた商品情報に基づく商品の購入要求を処理する装置であって、第１の購入者が、商品の一の個体に付された商品タグから携帯型の情報読み取り装置で商品情報を読み取り、商品情報に基づいて商品の一の個体の購入を要求すると、第１の購入者が商品の一の個体のアフィリエイタとなることを希望する場合には、第１の購入者が商品の一の個体の購入を要求していることを示し、かつ、第１の購入者が商品の一の個体のアフィリエイタとなることを示す第１の購入情報を取得する取得部と、商品の一の個体と第１の購入者とを対応付けた対応情報を記憶する記憶部と、取得部により取得された第１の購入情報を用いて、第１の購入者による商品の代金の精算のための精算情報を生成することにより、第１の購入者による商品の代金の精算が行われるように、制御する制御部とを備え、取得部は、第２の購入者が、商品の一の個体に付された商品タグから携帯型の情報読み取り装置で商品情報を読み取り、商品情報に基づいて商品の一の個体とは異なる他の個体の購入を要求すると、第２の購入者が商品の他の個体の購入を要求していることを示す第２の購入情報を取得し、第２の購入者による商品の購入が対応情報において商品の一の個体に対応付けられた第１の購入者のアフィリエイタとしての行動に起因することを示すように第２の購入情報を更新し、制御部は、取得部による更新後の第２の購入情報を用いて、第２の購入者による商品の代金及び第１の購入者への報酬の精算のための精算情報を生成することにより、第２の購入者による商品の他の個体の代金の精算が行われ、かつ、第１の購入者への報酬の精算が行われるように、制御する、装置も提供する。
【００１４】
また、本発明は、商品又はサービスに関する情報が記録されて商品又はサービスに対応付けられた情報記録媒体から携帯型の情報読み取り装置で読み取られた情報に基づく商品又はサービスの購入要求を処理するシステムであって、商品又はサービスに対応付けられる情報記録媒体に第１のユーザが商品又はサービスのアフィリエイタであることを示すアフィリエイト情報を記録する記録部と、第２のユーザが、第１のユーザに関する商品又はサービスに対応付けられた情報記録媒体から携帯型の情報読み取り装置で情報を読み取り、情報に基づいて商品又はサービスの購入を要求すると、アフィリエイト情報により商品又はサービスのアフィリエイタであることが示される第１のユーザを、第２のユーザによる商品又はサービスの購入を誘発したアフィリエイタに決定する決定部と、決定部により第２のユーザによる商品又はサービスの購入を誘発したアフィリエイタに決定された第１のユーザへの報酬の精算処理を行う精算処理部とを含む、システムも提供する。
【００１５】
更に、本発明は、商品又はサービスに関する情報が記録されて商品又はサービスに対応付けられた情報記録媒体から携帯型の情報読み取り装置で読み取られた情報に基づく商品又はサービスの購入要求を処理する方法であって、第１のユーザを商品又はサービスに関連付けてアフィリエイタとして登録するステップと、第２のユーザが、第１のユーザに関する商品又はサービスに対応付けられた情報記録媒体から携帯型の情報読み取り装置で情報を読み取り、情報に基づいて商品又はサービスの購入を要求すると、第１のユーザを、第２のユーザによる商品又はサービスの購入を誘発したアフィリエイタに決定するステップとを含む、方法も提供する。
【００１６】
更にまた、本発明は、商品又はサービスに関する情報が記録されて商品又はサービスに対応付けられた情報記録媒体から携帯型の情報読み取り装置で読み取られた情報に基づく商品又はサービスの購入要求を処理する装置として、コンピュータを機能させるプログラムであって、コンピュータを、第１のユーザが商品又はサービスに関連付けてアフィリエイタとして登録されるように制御する制御部と、第２のユーザが、第１のユーザに関する商品又はサービスに対応付けられた情報記録媒体から携帯型の情報読み取り装置で情報を読み取り、情報に基づいて商品又はサービスの購入を要求すると、第１のユーザを、第２のユーザによる商品又はサービスの購入を誘発したアフィリエイタに決定する決定部として機能させる、プログラムも提供する。
【発明の効果】
【００１７】
本発明によれば、実店舗での商品又はサービスの販売に関し、実社会で行動する顧客をアフィリエイタとすることができる。
【図面の簡単な説明】
【００１８】
【図１】本発明が適用され連係するモバイル・ショッピング・システムを構成する機器の接続イメージ図である。
【図２】本発明が適用され連係するモバイル・ショッピング・システム全体の各機能のブロック・ダイアグラムを示す図である。
【図３】商品情報データベースが持つ商品情報の例を示す図である。
【図４】商品タグ（紙棚札）のデータフォーマットの例を示す図である。
【図５】携帯電話が商品タグ（紙棚札）から商品情報を取得し作成した買物情報の例を示す図である。
【図６】商品タグ（紙棚札）のデータフォーマットの例を示す図である。
【図７】携帯電話が商品タグ（紙棚札）から商品情報を取得し作成した買物情報の例を示す図である。
【図８】商品タグ（ＮＦＣタグ）のデータフォーマットの例を示す図である。
【図９】携帯電話が商品タグ（ＮＦＣタグ）から商品情報を取得し作成した買物情報の例を示す図である。
【図１０】アフィリエイトデータベースの内容の例を示す図である。
【図１１】携帯電話が商品タグ（ＮＦＣタグ）から商品情報を取得し作成した後にアフィリエイトデータベースを参照して更新した買物情報の例を示す図である。
【図１２】アフィリエイトデータベースの内容の例を示す図である。
【図１３】買物情報データベースが持つ買物情報の例を示す図である。
【図１４】買物・精算管理システムがストアシステムに送信する精算情報の例を示す図である。
【図１５】商品タグコントローラの動作例を示すフローチャートである。
【図１６】携帯電話の動作例を示すフローチャートである。
【図１７】買物・精算管理システムの動作例を示すフローチャートである。
【図１８】アフィリエイトシステムの動作例を示すフローチャートである。
【図１９】アフィリエイト連鎖の例を模式的に示す図である。
【図２０−１】アフィリエイト連鎖が行われるときのアフィリエイトデータベースの内容の変遷の例を示す図である。
【図２０−２】アフィリエイト連鎖が行われるときのアフィリエイトデータベースの内容の変遷の例を示す図である。
【図２１】本発明の実施の形態を適用可能なコンピュータのハードウェア構成例を示す図である。
【発明を実施するための形態】
【００１９】
以下、添付図面を参照して、本発明の実施の形態について詳細に説明する。尚、本発明は商品の販売だけでなくサービスの販売に対しても適用可能であるが、本実施の形態では商品の販売を例にとって説明する。
図１は、本発明が適用され連係するモバイル・ショッピング・システム全体（複数のデータ処理システム）を構成する機器の接続イメージ図である。電子棚札と呼ばれるＥＳＬ１２０（Electronic Shelf Label）や紙棚札１４０等を含む商品タグ１００、携帯電話やスマートフォンを含むモバイルデバイス３００、インターネット１０、買物・精算管理システム５００、ＰＯＳ７１０を含むストアシステム７００を基本の構成として、更に、アフィリエイトシステム６００を含む。
【００２０】
商品タグ１００は、以下の実施形態においては、代表例であるＥＳＬ１２０又は紙棚札１４０として説明するが、これらに限定するものではない。
ここで、商品タグ１００は、商品に直接貼り付けられるラベル、糸等を用いて商品に直接添付される小型の紙のタグ（商品札、値札）、商品棚やショーウィンドウに商品に対応付けられて設置される棚札やデジタルサイネージ等を指す。
【００２１】
商品タグ１００は、ラベルや棚札が通常表示している商品名や価格等の基本的な商品情報に加えて、より多くの情報をコード情報として含んでいる。そのため、買物客が、モバイルデバイス３００によって商品タグ１００をスキャンする（或いは、モバイルデバイス３００を商品タグ１００にかざす）ことで、モバイルデバイス３００は、商品タグ１００が提供するコード情報を容易に取得できる。
ここで、商品タグ１００が商品情報として取得するコード情報は、２次元バーコード読み取り、ＮＦＣ（Near Field Communication）通信、Ｂｌｕｅｔｏｏｔｈ（登録商標）通信等によって、デジタル化された情報として、モバイルデバイス３００によって取得される。
以下の実施形態では、商品タグ１００が取得するコード情報は、代表例である２次元バーコード又はＮＦＣデータ（ＮＤＥＦ（NFC Data Exchange Format）データ）として説明するが、これらに限定するものではない。２次元バーコード及びＮＦＣデータの両方で構成されるものであってもよい。
【００２２】
また、商品タグ１００の代わりに、商品を購入した証拠として渡されるレシート、通信販売用の商品カタログ、レストランのメニュー等を採用し、これらに印刷された２次元バーコードを読み取ることによりコード情報を取得するようにしてもよい。更に、商品タグ１００の代わりに、商品タグ１００やレシート等をスキャンして保存したり、店舗から受け取った電子レシート等を保存したりした携帯電話を採用し、携帯電話の画面に表示された２次元バーコードを読み取ることにより、又は、携帯電話が保持するＮＦＣデータをＮＦＣ通信で受信することにより、コード情報を取得するようにしてもよい。即ち、一般化すれば、情報を記録可能な如何なる媒体を用いてもよいので、商品タグ１００、レシート、商品カタログ、メニュー、携帯電話は、情報記録媒体の一例と言うことができる。
【００２３】
モバイルデバイス３００は、以下の実施形態においては、代表例である携帯電話３００として説明するが、携帯電話のみに限定するものではない。既に欧米諸国のセルフスキャン買物で用いられているような専用の買物モバイルデバイスでもよい。
また、携帯電話３００には買物アプリケーション（以下、「買物アプリ」という）が導入されており、これらの殆どの機能は、かかるソフトウェアをインストールするだけで、既にあるハードウェアを生かして実現することができ、機能を実現するための手段にもなり得る。
【００２４】
図２は、これらの各機能をブロック・ダイアグラムとして表したものである。
商品タグ１００は、ストアシステム７００から商品情報７８０を取得して格納し、表示、印刷等の方法で、商品情報を提供するものである。
【００２５】
携帯電話３００は、携帯型の情報読み取り装置の一例であり、商品タグ１００から、２次元バーコードやＮＦＣ技術やＢｌｕｅｔｏｏｔｈ（登録商標）技術を利用して商品情報７８０を取得する。
携帯電話３００は、取得した商品情報７８０に、利用者ＩＤ４３１、購入日時４３２、数量４３４、金額（小計）４３５等の情報を追加する。この情報には、この他に顧客の買物行動を分析するために必要な携帯電話３００の操作情報等を含めても構わない。
携帯電話３００は、この動作を繰り返して買物を行い、精算時に精算日時４３３を追加して買物情報４３０（図５、図７及び図９参照）を作成し、買物・精算管理システム５００へ転送する。具体的には、携帯電話３００は３ＧやＧＳＭ（登録商標）の携帯電話網を利用してインターネット１０に接続して買物・精算管理システム５００へ買物情報４３０を送信する。
これらの携帯電話網は、新興国でも急速に普及しており、通信エリアもＷｉＦｉ（登録商標）無線ＬＡＮに比べて広く、盗聴、改竄等に対するセキュリティーのレベルも高い。携帯電話網を抜けてインターネットで通信される場合は情報に暗号化技術を用いることが望ましい。
【００２６】
買物・精算管理システム５００の買物情報取得機能５２０は、通信機能５１０を経由して携帯電話３００からの買物情報４３０を取得する。精算情報抽出機能５３０は、買物情報４３０の利用者ＩＤ４３１に対応する精算登録情報５８５を利用者登録情報データベース９００から取得して、買物情報４３０から抽出した情報（５８１〜５８４）と組み合わせ、精算情報５８０（図１４参照）を作成し、通信機能５５０を経由してストアシステム７００へ送信する。精算が行われると、精算確認機能５４０は、精算結果を、通信機能５５０を介して受信し確認した後、精算処理要求を出した携帯電話３００に通信機能５１０を介して送信する。これにより、携帯電話３００は画面に精算結果を表示して買物を終了する。
【００２７】
ストアシステム７００はＰＯＳ（Point Of Sales）７１０を含む。ＰＯＳ７１０は、精算機能７２０、キーボード７３０、ディスプレイ７４０を有しており、キーボード７３０から入力された情報に基づいて精算機能７２０が精算処理を行い、結果をディスプレイ７４０に表示する。一方で、精算機能７２０は、買物・精算管理システム５００から通信機能７５０を介して受信した精算情報５８０に基づく精算処理も行う。精算機能７２０は、精算処理を行う精算処理部の一例である。
【００２８】
また、ストアシステム７００は、商品情報データベース７６０を有している。
図３は、商品情報データベース７６０の構成の一例を示す。
図示するように、商品情報データベース７６０は、メーカ７６１、商品名７６２、商品コード７６３、価格７６４、店舗７６５等の商品情報を格納している。
【００２９】
再び図２に戻ると、商品タグ管理システム２００は情報を記録する記録部の一例であり、この商品タグ管理システム２００では、商品タグコントローラ２２０が、ストアシステム７００の商品情報データベース７６０から商品情報７８０を取得して、店舗内で販売するそれぞれの商品について、商品タグ１００を作成する。
対応する商品の商品タグ１００がＥＳＬ１２０（ＮＦＣタグを含む）である場合は、商品タグコントローラ２２０は、ＩＲ、小電力無線、ＺｉｇＢｅｅ、ＮＦＣ等の無線通信の手段によって、ＥＳＬ１２０の情報を適宜変更する。
対応商品の商品タグ１００が紙棚札１４０（紙タグを含む）である場合は、商品タグコントローラ２２０は、対応する商品の商品情報７８０を、紙棚札印刷２４０に送信し、紙棚札印刷２４０は、商品情報７８０を紙棚札１４０に印刷する。紙棚札１４０に印刷する際には、商品名７８２や価格７８４等の通常の表示に加えて、商品情報データベース７６０から取得したより詳細な商品情報（７８１〜７８５）を２次元バーコードのようなコード情報として印刷する。
【００３０】
このような基本の構成において、実店舗での買い物におけるアフィリエイトモデルを構築する場合、アフィリエイトモデルは、例えば、次のような手順で実現される。即ち、まず、顧客Ａ（第１の購入者の一例）は、実店舗において商品Ｘの商品タグ１００を携帯電話３００でスキャンし、クレジットカード又は現金で商品Ｘの代金を支払う。次に、顧客Ａは、アフィリエイタ登録を希望することにより、自身の利用者ＩＤが書き込まれた商品タグ１００付きのステッカーが貼られた商品Ｘを受け取り、ステッカーが見えるように街を歩きまわり、商品Ｘを宣伝する。次いで、顧客Ｂ（第２の購入者の一例）が、商品Ｘに貼られたステッカーの商品タグ１００をスキャンし、その後、クレジットカードで代金を実店舗に支払うことにより同じ商品を宅配してもらったり、実店舗において現金で代金を支払うことにより同じ商品を受け取ったりする。これにより、商品Ｘを先に購入し宣伝した顧客Ａに後日報酬が支払われる。ここで、報酬は商品の購入に起因した取引に応じて支払うようにしてもよい。また、報酬は、現金、ポイント又はその組合せによって支払われてもよい。更に、報酬の提供者は、店舗、モール、メーカ、サービス提供者又その組合せの何れであってもよい。
【００３１】
以下の実施形態では、上記アフィリエイトモデルを想定して説明するが、これ以外にも種々の変形例が考えられる。
第一に、上記アフィリエイトモデルでは、顧客Ａは商品Ｘを購入した時点でアフィリエイタ登録を希望するものとしたが、他の時点でアフィリエイタ登録を希望するものとしてもよい。例えば、顧客Ａは商品Ｘを購入し暫く使って気に入った後にアフィリエイタ登録を希望するようにしてもよい。
【００３２】
第二に、上記アフィリエイトモデルでは、顧客Ａが実店舗で商品Ｘを購入したことを顧客Ａがアフィリエイタとなるための条件としたが、商品Ｘの購入をアフィリエイタとなるための条件としなくてもよい。例えば、顧客Ａが商品Ｘを購入したかどうかには関係なく商品Ｘの売り子として登録することをアフィリエイタとなるための条件としてもよい。この意味で、顧客Ａは第１のユーザの一例と言うことができる。また、これに応じて、顧客Ｂは第２のユーザの一例と言うことができる。
【００３３】
また、上記アフィリエイトモデルにおいて、商品タグ１００としては、次の２つの何れかが用いられる。
１つは、商品のアフィリエイタを識別するアフィリエイトＩＤを格納するためのアフィリエイトＩＤフィールドを有する商品タグ１００である。このような商品タグ１００には、例えば、２次元バーコードを表示するＥＳＬ１２０や、２次元バーコードが印刷された紙棚札１４０（紙タグを含む）がある。ここで２次元バーコードとは、例えばＱＲコード（登録商標）である。こういった商品タグ１００を用いる場合は、商品を購入した利用者がアフィリエイタ登録を希望すると、携帯電話３００はその利用者の利用者ＩＤをアフィリエイトＩＤ７８６として買物情報４３０に含めて買物・精算管理システム５００へ転送する。その結果、商品タグコントローラ２２０はアフィリエイトＩＤフィールドにその利用者ＩＤをセットし、ＥＳＬ１２０のアフィリエイトＩＤの書き換え又は紙棚札印刷２４０による新たな紙棚札１４０へのアフィリエイトＩＤの印刷を制御する。
【００３４】
ここでＥＳＬ１２０や紙棚札１４０等の商品の「棚札」は、上記アフィリエイトモデルの第二の変形例で用いられることがある。この場合、売り子のアフィリエイトＩＤ（及び存在すればより上位の連鎖するアフィリエイタのアフィリエイトＩＤ）が「棚札」のアフィリエイトＩＤフィールドに含まれる。例えば、売り子が少しの在庫（在庫管理の報酬も店舗からもらえる）を持っていて、在庫がある限りその場で商品を渡し、在庫切れになると店舗から後日配送するという販売形態を考える。このような販売形態においては、全ての商品にタグを貼ってもよいが、自分が所持する「サンプル」のみにタグを貼ることも考えられ、その場合、形状はタグであっても、在庫及び発送分を代表する「棚札」としての使われ方となる。
【００３５】
もう１つは、例えば出荷時に商品タグ固有のＩＤであるユニークＩＤが既に書き込まれている商品タグ１００である。このような商品タグ１００には、例えば、ＮＦＣデータが電子的に書き込まれたＮＦＣタグがある。こういった商品タグ１００を用いる場合は、商品を購入した利用者がアフィリエイタ登録を希望すると、携帯電話３００はユニークＩＤを買物情報４３０に含めると共にその利用者の利用者ＩＤをアフィリエイトＩＤ７８６として買物情報４３０に含めて買物・精算管理システム５００へ転送する。その結果、ユニークＩＤとアフィリエイトＩＤとはシステム側で対応付けられる。尚、ユニークＩＤは、以下の実施形態では、商品タグ固有のＩＤとするが、製造番号（シリアル番号）等の商品固有のＩＤとしてもよい。その場合、ユニークＩＤはシステム側で一意に生成され、商品タグコントローラ２２０はユニークＩＤも商品タグ１００に書き込む。
【００３６】
尚、ここでは、商品タグ１００を２つに分けたが、同じ商品について前者及び後者の両方の商品タグ１００が用いられる場合もある。例えば、２次元バーコードが印刷されたタグをスキャンして店舗からの商品の配送を依頼したが、その店舗では各商品にＮＦＣタグを付して販売する形態が採られているため、ＮＦＣタグが付された商品が送られてくる、といった場合である。
【００３７】
以下の実施形態では、アフィリエイトＩＤフィールドを有する商品タグ１００をその代表例である紙棚札１４０として説明し、ユニークＩＤが書き込まれた商品タグ１００をその代表例であるＮＦＣタグとして説明する。但し、これはあくまで便宜上であり、アフィリエイトＩＤフィールドを有する商品タグ１００から紙棚札１４０以外を除外したり、ユニークＩＤが書き込まれた商品タグ１００からＮＦＣタグ以外を除外したりするものではない。また、アフィリエイトＩＤフィールドを有する商品タグ１００にＮＦＣタグを含めることや、ユニークＩＤが書き込まれた商品タグ１００に紙棚札１４０を含めることを妨げるものでもない。
【００３８】
また、実店舗での買い物におけるアフィリエイトモデルを構築する場合は、アフィリエイトシステム６００が追加される。
アフィリエイトシステム６００の買物情報管理機能６１０は、買物・精算管理システム５００の買物情報取得機能５２０から買物情報４３０を読み込み、この買物情報４３０で買物情報データベース６３０を更新する。その際、買物情報４３０のユニークＩＤ７８７が空欄でない場合に（商品タグ１００がＮＦＣタグである場合に）、アフィリエイト登録希望有無７８８が『ＹＥＳ』であれば、この買物情報４３０は自分が商品を購入するために商品タグ１００をスキャンしてアフィリエイタ登録の操作を行うことによって作成されたものであるので、買物情報管理機能６１０は、アフィリエイトＩＤ７８６とユニークＩＤ７８７との対応をアフィリエイトデータベース６４０に登録する。また、買物情報４３０のユニークＩＤ７８７が空欄でない場合に（商品タグ１００がＮＦＣタグである場合に）、アフィリエイトＩＤ７８６が空欄であれば、この買物情報４３０は他の利用者が購入した商品を自分も購入するために商品タグ１００をスキャンすることによって作成されたものであるので、買物情報管理機能６１０は、アフィリエイトデータベース６４０でユニークＩＤ６４１に関連付けられたアフィリエイトＩＤ６４３〜６４５を買物情報４３０のアフィリエイトＩＤ７８６にセットする。ここで、アフィリエイトデータベース６４０は、商品の一の個体と第１の購入者とを対応付けた対応情報を記憶する記憶部の一例である。
【００３９】
加えて、アフィリエイトシステム６００の買物情報管理機能６１０は、買物情報４３０のユニークＩＤ７８７が空欄である場合に（商品タグ１００が紙棚札１４０である場合に）、アフィリエイト登録希望有無７８８が『ＹＥＳ』であれば、新たな商品タグ１００の作成を指示する情報を利用者ＩＤ４３１に付加した買物情報４３０を、買物・精算管理システム５００の買物情報取得機能５２０に戻す。これにより、買物・精算管理システム５００の買物情報取得機能５２０は、携帯電話３００より取得した買物情報４３０を買物情報管理機能６１０より取得した買物情報４３０に置き換える。
【００４０】
尚、以上述べた構成において、アフィリエイタの宣伝によらずに商品の商品タグ１００をスキャンすることによって作成された買物情報４３０は、第１の購入者が商品の一の個体の購入を要求していることを示し、かつ、第１の購入者が商品の一の個体のアフィリエイタとなることを示す第１の購入情報の一例である。
また、アフィリエイタの宣伝により商品の商品タグ１００をスキャンすることによって作成された買物情報４３０は、商品タグ１００が紙棚札１４０であれば、第２の購入者が商品の他の個体の購入を要求していることを示し、かつ、第２の購入者による商品の購入が新たな商品情報において商品情報に対応付けられた第１の購入者のアフィリエイタとしての行動に起因することを示す第２の購入情報の一例であり、商品タグ１００がＮＦＣタグであれば、第２の購入者が商品の他の個体の購入を要求していることを示す第２の購入情報の一例である。
更に、買物・精算管理システム５００の買物情報取得機能５２０は、商品タグ１００が紙棚札１４０であれば、第１の購入情報を取得し、第２の購入情報を取得する取得部の一例であり、商品タグ１００がＮＦＣタグであれば、第１の購入情報を取得し、第２の購入情報を取得し、第２の購入者による商品の購入が対応情報において商品の一の個体に対応付けられた第１の購入者のアフィリエイタとしての行動に起因することを示すように第２の購入情報を更新する取得部の一例である。
更にまた、買物・精算管理システム５００の精算情報抽出機能５３０は、商品タグ１００が紙棚札１４０であれば、第１の購入者による商品の一の個体の代金の精算が行われ、かつ、商品の一の個体に新たに付される新たな商品タグに商品情報と第１の購入者とを対応付けた新たな商品情報が記録されるように、制御し、第２の購入者による商品の他の個体の代金の精算が行われ、かつ、第１の購入者への報酬の精算が行われるように、制御する制御部の一例であり、商品タグ１００がＮＦＣタグであれば、第１の購入者による商品の代金の精算が行われるように、制御し、第２の購入者による商品の他の個体の代金の精算が行われ、かつ、第１の購入者への報酬の精算が行われるように、制御する制御部の一例である。
【００４１】
また、以上述べた構成において、アフィリエイトシステム６００の買物情報管理機能６１０は、第１のユーザが商品又はサービスに関連付けてアフィリエイタとして登録されるように制御する制御部の一例である。
更に、アフィリエイトシステム６００の買物情報管理機能６１０は、第１のユーザを、第２のユーザによる商品又はサービスの購入を誘発したアフィリエイタに決定する決定部の一例でもある。
【００４２】
図４は、実店舗で購入される前の商品（『ソックス』）の商品タグ１００に記録される情報の一例を示す。
図では、商品タグ１００を紙棚札１４０としているので、商品タグ１００に記録される情報にはアフィリエイトＩＤが含まれている。但し、商品は購入前なので、アフィリエイトＩＤとしては何も記録されていない。
【００４３】
ここで、利用者ＩＤ『２７４４３１』の利用者が図４の商品タグ１００を携帯電話３００でスキャンし、アフィリエイタ登録の操作を行ったとする。
図５は、このときに作成される買物情報４３０の一例を示す。尚、利用者ＩＤ『２７４４３１』の利用者は、『ソックス』の商品タグ１００だけでなく、『バッグ』及び『コーラ』の商品タグ１００も携帯電話３００でスキャンしたものとする。
図示するように、買物情報４３０は、商品タグ１００から取得された商品情報７８０に、利用者ＩＤ４３１と、購入日時４３２、精算日時４３３、数量４３４、金額４３５からなる購買情報とを追加したものである。また、『ソックス』については、アフィリエイタ登録の操作が行われたので、アフィリエイト登録希望有無７８８として『ＹＥＳ』がセットされ、アフィリエイトＩＤ７８６として利用者ＩＤ『２７４４３１』がセットされている。
【００４４】
この買物情報４３０は、インターネット１０を介して買物・精算管理システム５００へ転送され、この買物情報４３０から抽出された精算情報５８０（図１４参照）がストアシステム７００を介して商品タグコントローラ２２０へ転送される。この場合、後述するように精算情報５８０は紙棚札１４０を印刷すべきことを示すので、商品タグコントローラ２２０は、図４の商品タグ１００のアフィリエイトＩＤとして利用者ＩＤ『２７４４３１』がセットされた紙棚札１４０を紙棚札印刷２４０にて印刷する。
【００４５】
図６は、このようにして印刷された商品タグ１００に記録される情報の一例を示す。但し、商品は、図４の商品タグ１００が付された『ソックス』ではなく、『シューズ』とする。また、『シューズ』を購入してアフィリエイタ登録した利用者も、図４の商品タグ１００が付された『ソックス』を購入してアフィリエイタ登録した利用者ではなく、利用者ＩＤ『１９８４１３』の利用者とする。即ち、アフィリエイトＩＤとして利用者ＩＤ『１９８４１３』が記録されている。
【００４６】
ここで、利用者ＩＤ『１９８４１３』の利用者がアフィリエイタとして図６の商品タグ１００が付された『シューズ』を街で宣伝し、それを見た利用者ＩＤ『０３５０６３』の利用者が商品タグ１００を携帯電話３００でスキャンしたとする。
図７は、このときに作成される買物情報４３０の一例を示す。尚、利用者ＩＤ『０３５０６３』の利用者は、『シューズ』の商品タグ１００だけでなく、『ポテトチップ』及びチョコレートの商品タグ１００も携帯電話３００でスキャンしたものとする。
図示するように、買物情報４３０は、商品タグ１００から取得された商品情報７８０に、利用者ＩＤ４３１と、購入日時４３２、精算日時４３３、数量４３４、金額４３５からなる購買情報とを追加したものである。また、『シューズ』については、利用者ＩＤ『１９８４１３』のアフィリエイタの宣伝に起因して購入を決めたので、アフィリエイトＩＤ７８６として利用者ＩＤ『１９８４１３』がセットされている。
尚、もし、この商品の購入に関して、利用者ＩＤ『０３５０６３』の利用者がアフィリエイト登録を希望する場合は、アフィリエイトＩＤ７８６として利用者ＩＤ『１９８４１３』と利用者ＩＤ『０３５０６３』とがリストされ、更にアフィリエイト登録希望有無７８８は『ＹＥＳ』となる。アフィリエイト登録希望有無７８８が『ＹＥＳ』の場合は、アフィリエイトＩＤ７８６としてリストされる利用者ＩＤのうち、利用者ＩＤ４３１と一致するものは、この商品の購入によって新規に登録されるアフィリエイトとして、この商品の購入に貢献したアフィリエイトとは区別できる。
【００４７】
この買物情報４３０は、インターネット１０を介して買物・精算管理システム５００へ転送され、この買物情報４３０から抽出された精算情報５８０（図１４参照）がストアシステム７００を介して商品タグコントローラ２２０へ転送される。この場合、利用者ＩＤ『０３５０６３』の利用者がアフィリエイタ登録の操作を行わなかったとすると、精算情報５８０は紙棚札１４０を印刷すべきことを示さないので、商品タグコントローラ２２０は、商品タグ１００を印刷するための処理を行わない。
【００４８】
図８は、商品タグ１００の一例であるＮＦＣタグに記録される情報の一例を示す。
（ａ）は『ボール』に付されるＮＦＣタグに記録される情報の一例を示し、（ｂ）は『パンツ』に付されるＮＦＣタグに記録される情報の一例を示す。
商品タグ１００はＮＦＣタグであるので、（ａ），（ｂ）の何れにおいても、商品タグ１００に記録される情報にはユニークＩＤが含まれている。
【００４９】
ここで、利用者ＩＤ『０６００８７』の利用者が図８（ａ）の商品タグ１００を携帯電話３００でスキャンし、アフィリエイタ登録の操作を行ったとする。また、他の利用者がアフィリエイタとして図８（ｂ）の商品タグ１００が付された『パンツ』を街で宣伝し、それを見た利用者ＩＤ『０６００８７』の利用者が商品タグ１００を携帯電話３００でスキャンしたとする。
図９は、このときに作成される買物情報４３０の一例を示す。尚、利用者ＩＤ『０６００８７』の利用者は、『ボール』及び『パンツ』の商品タグ１００だけでなく、『シャツ』の商品タグ１００も携帯電話３００でスキャンしたものとする。
図示するように、買物情報４３０は、商品タグ１００から取得された商品情報７８０に、利用者ＩＤ４３１と、購入日時４３２、精算日時４３３、数量４３４、金額４３５からなる購買情報とを追加したものである。また、『ボール』及び『パンツ』については、商品タグ１００がＮＦＣタグであるので、ユニークＩＤ７８７として各商品タグ１００から読み取られた値がセットされている。更に、『ボール』については、アフィリエイタ登録の操作が行われたので、アフィリエイト登録希望有無７８８として『ＹＥＳ』がセットされ、アフィリエイトＩＤ７８６として利用者ＩＤ『０６００８７』がセットされている。
【００５０】
一方、図８（ｂ）の商品タグ１００には、アフィリエイタとして『パンツ』を街で宣伝した利用者の利用者ＩＤは商品タグ１００に記録されていないので、図９の買物情報４３０において、『パンツ』に対応するアフィリエイトＩＤ７８６としては何も記録されていない。そこで、このアフィリエイトＩＤ７８６としては、アフィリエイトデータベース６４０を参照して取得した利用者ＩＤを記録する。
【００５１】
図１０は、図９の買物情報４３０がアフィリエイトシステム６００に転送されてきた時点でのアフィリエイトデータベース６４０の構成の一例を示す。
この時点では、ユニークＩＤ６４１として『０３２２１２２１３７６４１９』が登録され、これに対して、登録者情報６４２のアフィリエイトＩＤ６４３として『０３５０６３』が登録されている。
【００５２】
図１１は、図９の買物情報４３０が図１０のアフィリエイトデータベース６４０を参照して更新された後の買物情報４３０の一例を示す。
図９の買物情報４３０では、『パンツ』に対応するアフィリエイトＩＤ７８６として何も記録されていなかったが、図１１の買物情報４３０では、『パンツ』に対応するアフィリエイトＩＤ７８６として、図１０のアフィリエイトデータベース６４０にてユニークＩＤ６４１『０３２２１２２１３７６４１９』に対応付けられたアフィリエイトＩＤ６４３『０３５０６３』が記録されている。
【００５３】
また、図８（ａ）の商品タグ１００を携帯電話３００でスキャンする際に、利用者ＩＤ『０６００８７』の利用者がアフィリエイタ登録の操作を行ったので、図９では、『ボール』について、アフィリエイトＩＤ７８６『０６００８７』及びユニークＩＤ７８７『０４６２１５２５１０８４１３』が記録されている。そこで、アフィリエイトシステム６００の買物情報管理機能６１０は、これらのアフィリエイトＩＤ７８６とユニークＩＤ７８７との対応をアフィリエイトデータベース６４０に登録する。
【００５４】
図１２は、この対応が登録された時点でのアフィリエイトデータベース６４０の構成の一例を示す。
図では２行目に、上述した対応がユニークＩＤ６４１及びアフィリエイトＩＤ６４３として登録されている。
【００５５】
図１３は、図５、図７及び図１１に示した買物情報４３０を含む買物情報データベース６３０の構成の一例を示す。尚、この買物情報データベース６３０は、利用者ＩＤ６３１『０３５０６３』の利用者が『ガム』及び『ジャケット』の商品タグ１００をスキャンすることによって作成された買物情報４３０も含んでいる。
【００５６】
図１４は、買物情報管理機能６１０から買物情報取得機能５２０へ戻された買物情報４３０から精算情報抽出機能５３０が抽出した精算情報５８０の一例を示す。
図において、利用者ＩＤ５８１が同じものは、同一の精算処理を意味している。但し、１行に２つのＩＤが記録されている場合は、上段が利用者ＩＤ５８１を示し、下段はアフィリエイトＩＤを示す。また、アフィリエイタ登録の操作を行った利用者については、利用者ＩＤ５８１の末尾に『Ａ』を付することで、商品タグ１００を印刷すべきことを示している。尚、以下では、この『Ａ』を「アフィリエイタ登録情報」と称する。
【００５７】
即ち、まず、利用者ＩＤ５８１が『０３５０６３』である最初の３行は同一の精算処理である。このうち、２行目の下段には、利用者ＩＤ『１９８４１３』の利用者がアフィリエイタとして宣伝したことにより商品が購入されたので、商品の価格の『５％』の報酬が、この利用者の『精算口座ａａａａａａ』に振り込まれることが記録されている。
【００５８】
次に、利用者ＩＤ５８１が『０６００８７』である次の３行は同一の精算処理である。このうち、２行目の下段には、利用者ＩＤ『０３５０６３』の利用者がアフィリエイタとして宣伝したことにより商品が購入されたので、商品の価格の『５％』の報酬が、この利用者の『精算口座ａａａａａａ』に振り込まれることが記録されている。また、３行目には、利用者ＩＤ５８１『０６００８７』にアフィリエイタ登録情報『Ａ』を付することにより、利用者ＩＤ５８１が『０６００８７』の利用者がアフィリエイタ登録の操作を行ったので、商品タグ１００を印刷すべきことが記録されている。尚、この場合、商品タグ１００はＮＦＣタグであるので、ユニークＩＤがＮＦＣタグ固有のＩＤであれば、商品タグ１００に利用者ＩＤを含む商品情報は書き込まれない。
【００５９】
次に、利用者ＩＤ５８１が『２７４４３１』である次の３行は同一の精算処理である。このうち、２行目には、利用者ＩＤ５８１『２７４４３１』にアフィリエイタ登録情報『Ａ』を付することにより、利用者ＩＤ５８１が『２７４４３１』の利用者がアフィリエイタ登録の操作を行ったので、商品タグ１００を印刷すべきことが記録されている。尚、この場合、商品タグ１００は紙棚札１４０であるので、商品タグ１００に利用者ＩＤを含む商品情報が印刷される。
【００６０】
次いで、利用者ＩＤ５８１が『０３５０６３』である最後の２行は同一の精算処理である。
即ち、図１４は、４つの精算処理が連続して買物・精算管理システム５００に送られたことを示している。
【００６１】
図１５は商品タグ管理システム２００の動作例を示すフローチャートである。
商品タグ管理システム２００は、ステップ２５４でストアシステム７００の商品情報データベース７６０の変更又は精算情報５８０のアフィリエイタ登録情報を検出すると、ステップ２５６で変更された商品又はアフィリエイタ登録情報に対応する商品の商品情報７８０を取得する。引き続き、ステップ２５８で商品タグ１００に格納する情報を作成し、ステップ２６０でこれらから２次元バーコード又はＮＦＣデータを作成して、ステップ２６２で紙棚札印刷２４０若しくはＥＳＬ１２０への２次元バーコードの送信又はＮＦＣタグへのＮＦＣデータの送信を行う。その後、ステップ２６４で他に変更された商品又はアフィリエイタ登録情報に対応する商品があるかどうかを判断し、そのような商品がある場合は同様の処理を繰り返す。
【００６２】
図１６は、携帯電話３００の動作例を示すフローチャートである。
携帯電話３００の買物アプリは、各種機能をサポートするため、ステップ３５４で機能選択が行われ、買物機能が選ばれるとステップ３５６で買物画面を表示し、商品タグ１００をスキャンして商品情報７８０を取得し、ステップ３５８で買物情報４３０（精算日時４３３はセットされていない）を作成する。このとき、携帯電話３００でアフィリエイタ登録の操作が行われていれば、アフィリエイト登録希望有無７８８に『ＹＥＳ』をセットし、例えば携帯電話３００の個体識別番号を利用者ＩＤ４３１として買物情報４３０に含める。引き続き、ステップ３６０で精算が選択されると、ステップ３６２で精算日時４３３がセットされた買物情報４３０を作成し、買物・精算管理システム５００に送信して、ステップ３６４でその精算結果を買物・精算管理システム５００より取得して表示する。ステップ３５４で買物機能以外が選ばれると、ステップ３６６でその選ばれた機能が実行される。
【００６３】
図１７は、買物・精算管理システム５００の動作例を示すフローチャートである。
買物・精算管理システム５００では、携帯電話３００から精算要求を受けると、ステップ５５４で買物情報取得機能５２０が買物情報４３０を取得し、ステップ５５６で精算情報抽出機能５３０が買物情報４３０より抽出した利用者ＩＤ４３１を利用して利用者登録情報データベース９００からこの携帯電話３００を持つ顧客（利用者）の登録情報を取得する。この情報には精算情報５８０に含める精算登録情報５８５（クレジットカード番号や現金決済、精算口座番号等）が含まれる。ここで、精算登録情報５８５は、この顧客（利用者）が、モバイル・ショッピング・システムの利用をはじめる時に、このシステムで取得される購買行動・動向等の個人情報の利用許諾とともに、店舗のＰＣや携帯電話で利用者登録情報データベース９００に登録したものである。
【００６４】
引き続き、ステップ６５０でアフィリエイトシステム６００が買物情報取得機能５２０から買物情報４３０を読み込んで後述するアフィリエイト処理を行い、アフィリエイト処理を行った後の買物情報４３０を買物情報取得機能５２０に戻す。
【００６５】
その後、ステップ５６０で精算情報抽出機能５３０が買物情報４３０から精算に必要な利用者ＩＤ４３１、商品コード７８３、価格７８４、数量４３４を抽出し、ステップ５５６で取得した精算登録情報５８５を追加して精算情報５８０を作成し、ストアシステム７００へ送信する。また、精算確認機能５４０が、ステップ５６２で精算確認を行い、ステップ５６４で携帯電話３００へ通知を行って一連の精算処理を終了する。
【００６６】
図１８はアフィリエイトシステム６００の動作例を示すフローチャートである。
図１７の買物・精算管理システム５００のフローチャートのステップ６５０でアフィリエイト処理が呼ばれると、買物情報管理機能６１０は、ステップ６５２で買物情報取得機能５２０から買物情報４３０を読み込み、ステップ６５４で買物情報４３０の１つの商品について、ユニークＩＤ７８７があるかどうかを判断する。つまり、買物情報４３０がＮＦＣタグをスキャンすることによって作成されたものであるかどうかを判断する。
ステップ６５４で買物情報４３０にユニークＩＤ７８７があると判断されると、買物情報管理機能６１０は、ステップ６５６でアフィリエイトデータベース６４０からユニークＩＤ６４１に対応付けられたアフィリエイトＩＤ６４３〜６４５を読み出し、買物情報４３０のアフィリエイトＩＤ７８６として記録する。この場合、買物情報４３０にアフィリエイトＩＤ７８６があれば、アフィリエイトＩＤ６４３〜６４５を追加的に記録する。引き続き、買物情報管理機能６１０は、ステップ６５８で買物情報４３０に含まれるアフィリエイト登録希望有無７８８が『ＹＥＳ』であればアフィリエイトＩＤ７８６とユニークＩＤ７８７との対応をアフィリエイトデータベース６４０に登録してその内容を変更し、ステップ６６０で買物情報４３０を買物情報データベース６３０に書き出す。
ステップ６５４で買物情報４３０にユニークＩＤ７８７がないと判断されると、買物情報管理機能６１０は、ステップ６６０で買物情報４３０をそのまま買物情報データベース６３０に書き出す。
【００６７】
尚、ステップ６６０で買物情報４３０は買物情報取得機能５２０に戻されるが、買物情報４３０に含まれるアフィリエイト登録希望有無７８８が『ＹＥＳ』である場合は、アフィリエイタ登録の操作が行われているので、利用者ＩＤ４３１にアフィリエイタ登録情報『Ａ』が付されて戻される。
その後、ステップ６６２で買物情報４３０に他に商品があるかどうかを判断し、そのような商品がある場合は同様の処理を繰り返す。
【００６８】
次に、ある利用者がアフィリエイタとして別の利用者の商品の購入行動に影響を与えるという関係が複数の利用者にわたって連鎖するアフィリエイト連鎖について説明する。
図１９は、アフィリエイト連鎖の一例を模式的に示す。
図では、利用者Ａがアフィリエイタとして商品Ｘを宣伝することにより利用者Ｂ，Ｃ，Ｄが商品Ｘを購入し、利用者Ｄがアフィリエイタとして商品Ｘを宣伝することにより利用者Ｅが商品Ｘを購入し、利用者Ｅがアフィリエイタとして商品Ｘを宣伝することにより利用者Ｆ，Ｇが商品Ｘを購入したことを示している。
【００６９】
図２０−１及び図２０−２は、このときのアフィリエイトデータベース６４０の内容の変遷を示す。尚、ここでは、利用者Ａ〜Ｇの利用者ＩＤを『Ａ』〜『Ｇ』とし、利用者Ａ〜Ｇが実際に受け取る商品Ｘの個体のユニークＩＤを『ａ』〜『ｇ』とし、全ての利用者は商品Ｘの購入時にアフィリエイタ登録の操作を行うものとする。
【００７０】
（ａ）は、利用者Ａが商品Ｘを購入した時点でのアフィリエイトデータベース６４０の内容を示す。この時点では、ユニークＩＤ６４１が『ａ』の商品Ｘについて、アフィリエイトＩＤ６４３が『Ａ』の利用者がアフィリエイタであることが記憶されている。
【００７１】
（ｂ）は、利用者Ｂ，Ｃ，Ｄが利用者Ａの宣伝により商品Ｘを購入した時点でのアフィリエイトデータベース６４０の内容を示す。この時点では、ユニークＩＤ６４１が『ｂ』の商品Ｘについて、アフィリエイトＩＤ６４４が『Ｂ』の利用者がアフィリエイタであり、その利用者の宣伝により他の利用者が商品Ｘを購入すればアフィリエイトＩＤ６４３が『Ａ』の利用者もアフィリエイタとして寄与していることが記憶されており、ユニークＩＤ６４１が『ｃ』の商品Ｘについて、アフィリエイトＩＤ６４４が『Ｃ』の利用者がアフィリエイタであり、その利用者の宣伝により他の利用者が商品Ｘを購入すればアフィリエイトＩＤ６４３が『Ａ』の利用者もアフィリエイタとして寄与していることが記憶されており、ユニークＩＤ６４１が『ｄ』の商品Ｘについて、アフィリエイトＩＤ６４４が『Ｄ』の利用者がアフィリエイタであり、その利用者の宣伝により他の利用者が商品Ｘを購入すればアフィリエイトＩＤ６４３が『Ａ』の利用者もアフィリエイタとして寄与していることが記憶されている。
【００７２】
（ｃ）は、利用者Ｅが利用者Ｄの宣伝により商品Ｘを購入した時点でのアフィリエイトデータベース６４０の内容を示す。この時点では、ユニークＩＤ６４１が『ｅ』の商品Ｘについて、アフィリエイトＩＤ６４５が『Ｅ』の利用者がアフィリエイタであり、その利用者の宣伝により他の利用者が商品Ｘを購入すればアフィリエイトＩＤ６４３が『Ａ』の利用者及びアフィリエイトＩＤ６４４が『Ｄ』の利用者もアフィリエイタとして寄与していることが記憶されている。
【００７３】
（ｄ）は、利用者Ｆ，Ｇが利用者Ｅの宣伝により商品Ｘを購入した時点でのアフィリエイトデータベース６４０の内容を示す。この時点では、ユニークＩＤ６４１が『ｆ』の商品Ｘについて、アフィリエイトＩＤ６４６が『Ｆ』の利用者がアフィリエイタであり、その利用者の宣伝により他の利用者が商品Ｘを購入すればアフィリエイトＩＤ６４３が『Ａ』の利用者、アフィリエイトＩＤ６４４が『Ｄ』の利用者及びアフィリエイトＩＤ６４５が『Ｅ』の利用者もアフィリエイタとして寄与していることが記憶され、ユニークＩＤ６４１が『ｇ』の商品Ｘについて、アフィリエイトＩＤ６４６が『Ｇ』の利用者がアフィリエイタであり、その利用者の宣伝により他の利用者が商品Ｘを購入すればアフィリエイトＩＤ６４３が『Ａ』の利用者、アフィリエイトＩＤ６４４が『Ｄ』の利用者及びアフィリエイトＩＤ６４５が『Ｅ』の利用者もアフィリエイタとして寄与していることが記憶されている。
【００７４】
尚、この例では、ある利用者がアフィリエイタとして別の利用者の商品の購入行動に影響を与えるという関係が複数の利用者にわたって連鎖する場合に、その複数の利用者の全てをアフィリエイタとして登録したが、これには限らない。例えば、その複数の利用者のうち、最初のＮ人の利用者のみをアフィリエイタとして登録してもよいし、最後のＮ人の利用者のみをアフィリエイタとして登録してもよい（Ｎは自然数）。或いは、その複数の利用者のうち、中間を中抜きした前後の利用者のみをアフィリエイタとして登録してもよい。
【００７５】
即ち、図１９の利用者Ａ，Ｄ，Ｅ，Ｆの連鎖において、例えば利用者Ｄについてアフィリエイタとして登録する場合と登録しない場合とが考えられる。前者の場合は、利用者Ａが第１のユーザの一例であり、利用者Ｄが第２のユーザ及び第３のユーザの一例であり、利用者Ｅが第４のユーザの一例である。後者の場合は、利用者Ａが第１のユーザの一例であり、利用者Ｄが第２のユーザの一例であり、利用者Ｅが第３のユーザの一例であり、利用者Ｆが第４のユーザの一例である。また、同じ利用者Ａ，Ｄ，Ｅ，Ｆの連鎖において、例えば利用者Ｅについてもアフィリエイタとして登録する場合と登録しない場合とが考えられる。前者の場合は、利用者Ｄが第１のユーザの一例であり、利用者Ｅが第２のユーザ及び第３のユーザの一例であり、利用者Ｆが第４のユーザの一例である。後者の場合は、利用者Ｄが第１のユーザの一例であり、利用者Ｅが第２のユーザの一例であり、利用者Ｆが第３のユーザの一例であり、利用者Ｆの次の利用者が第４のユーザの一例である。
【００７６】
また、この例では、商品タグ１００がＮＦＣタグである場合についてアフィリエイトデータベース６４０の内容の変遷を示したが、商品タグ１００が紙棚札１４０である場合は、データベースを利用せず、その代りに、紙棚札１４０内のアフィリエイトＩＤフィールドに複数のアフィリエイトＩＤをデータベースの場合と同様にリストすることになる。
【００７７】
このようなアフィリエイト連鎖を把握すると、アフィリエイト連鎖を可視化し、どの利用者がアドボケータであるかを明確にしてその利用者を中心としたマーケティングやプロモーションを検討するようにしてもよい。
また、アフィリエイト連鎖から各利用者が商品を購入した順序又は各利用者が他の利用者による商品の購入を誘発した順序を導き出し、このような順序に応じて、アフィリエイタに支払われる報酬の量（金額又はポイント数）を決定するようにしてもよい。例えば、順序が後のアフィリエイタほど報酬の量を多くすることや、順序が先のアフィリエイタほど報酬の量を多くすることが考えられる。但し、順序に関係なく複数のアフィリエイタに均等な報酬の量としてもよい。また、複数のアフィリエイタのうち、最初のＮ人のアフィリエイタのみに報酬を支払うようにしてもよいし、最後のＮ人のアフィリエイタのみに報酬を支払うようにしてもよい（Ｎは自然数）。或いは、複数のアフィリエイタのうち、中間を中抜きした前後のアフィリエイタのみに報酬を支払うようにしてもよい。
【００７８】
更に、アフィリエイタ連鎖とは別に、アフィリエイタごとの販売数を把握してこれを可視化し、例えば、アフィリエイタとして他の利用者の商品の購入を誘発したことが多い利用者を中心としたマーケティングやプロモーションを検討するようにしてもよい。
【００７９】
このように、本実施の形態では、出願人が取得した特許第４６２０８０７号の買物支援を拡張し、電子棚札と同様の情報を２次元バーコードやＮＦＣ等を利用した商品タグ１００に持たせることにより、商品に付された商品タグ１００をスキャンすれば、利用者又はその利用者から商品を宣伝された第三者がその商品を購入できるようにした。商品に付された商品タグ１００にその商品を購入した利用者の情報を追加したり関連付けたりすることで、商品の精算時に、誰が購入した商品を見てこの商品が購入されたかが分かるようになり、ＥＣサイトでのアフィリエイトモデルと同様のビジネスモデルが実店舗でも実現可能となった。
【００８０】
また、商品を購入した顧客は、希望すれば自らがアフィリエイタとなり報酬を得ることができる。その際、商品を購入した顧客自身が商品を紹介することが保証されるため、ＥＣサイトで問題となるような大げさ又は不正確な表現を排除でき、商品を購入した顧客から紹介された商品を購入する利用者も、ＥＣサイトとは異なり、実際に使っている利用者の商品を見たり触ったり、評価を直接聞いたりして商品を購入できるため、安心して買い物をすることができる。
【００８１】
更に、実店舗は、従来のように店舗内で商品を販売するビジネスだけでなく、商品を買ったり借りたりした顧客が自主的にその商品の紹介や販売を行う新しいビジネスの展開を期待することができる。場合によっては、顧客は店舗から商品の貸与を受けてマネキンビジネスやショールームビジネスを展開することも可能となる。
【００８２】
更にまた、アフィリエイト連鎖を把握できるようにした場合は、どの利用者がアドボケータであるかを明確にすることができ、その利用者を発信源とする効率の良いプロモーションを行うことも可能となる。
【００８３】
最後に、本実施の形態を適用するのに好適なコンピュータのハードウェア構成について説明する。
図２１は、このようなコンピュータのハードウェア構成例を示した図である。図示するように、コンピュータは、演算手段であるＣＰＵ（Central Processing Unit）９０ａと、Ｍ／Ｂ（マザーボード）チップセット９０ｂを介してＣＰＵ９０ａに接続されたメインメモリ９０ｃと、同じくＭ／Ｂチップセット９０ｂを介してＣＰＵ９０ａに接続された表示機構９０ｄとを備える。また、Ｍ／Ｂチップセット９０ｂには、ブリッジ回路９０ｅを介して、ネットワークインターフェイス９０ｆと、磁気ディスク装置（ＨＤＤ）９０ｇと、音声機構９０ｈと、キーボード／マウス９０ｉと、フレキシブルディスクドライブ９０ｊとが接続されている。
【００８４】
尚、図２１において、各構成要素は、バスを介して接続される。例えば、ＣＰＵ９０ａとＭ／Ｂチップセット９０ｂの間や、Ｍ／Ｂチップセット９０ｂとメインメモリ９０ｃの間は、ＣＰＵバスを介して接続される。また、Ｍ／Ｂチップセット９０ｂと表示機構９０ｄとの間は、ＡＧＰ（Accelerated Graphics Port）を介して接続されてもよいが、表示機構９０ｄがＰＣＩ Ｅｘｐｒｅｓｓ対応のビデオカードを含む場合、Ｍ／Ｂチップセット９０ｂとこのビデオカードの間は、ＰＣＩ Ｅｘｐｒｅｓｓ（ＰＣＩｅ）バスを介して接続される。また、ブリッジ回路９０ｅと接続する場合、ネットワークインターフェイス９０ｆについては、例えば、ＰＣＩ Ｅｘｐｒｅｓｓを用いることができる。また、磁気ディスク装置９０ｇについては、例えば、シリアルＡＴＡ（AT Attachment）、パラレル転送のＡＴＡ、ＰＣＩ（Peripheral Components Interconnect）を用いることができる。更に、キーボード／マウス９０ｉ、及び、フレキシブルディスクドライブ９０ｊについては、ＵＳＢ（Universal Serial Bus）を用いることができる。
【００８５】
ここで、本発明は、全てハードウェアで実現してもよいし、全てソフトウェアで実現してもよい。また、ハードウェア及びソフトウェアの両方により実現することも可能である。また、本発明は、コンピュータ、データ処理システム、コンピュータプログラムとして実現することができる。このコンピュータプログラムは、コンピュータにより読取り可能な媒体に記憶され、提供され得る。ここで、媒体としては、電子的、磁気的、光学的、電磁的、赤外線又は半導体システム（装置又は機器）、或いは、伝搬媒体が考えられる。また、コンピュータにより読取り可能な媒体としては、半導体、ソリッドステート記憶装置、磁気テープ、取り外し可能なコンピュータディスケット、ランダムアクセスメモリ（ＲＡＭ）、リードオンリーメモリ（ＲＯＭ）、リジッド磁気ディスク、及び光ディスクが例示される。現時点における光ディスクの例には、コンパクトディスク−リードオンリーメモリ（ＣＤ−ＲＯＭ）、コンパクトディスク−リード／ライト（ＣＤ−Ｒ／Ｗ）及びＤＶＤが含まれる。
【００８６】
以上、本発明を実施の形態を用いて説明したが、本発明の技術的範囲は上記実施の形態には限定されない。本発明の精神及び範囲から逸脱することなく様々に変更したり代替態様を採用したりすることが可能なことは、当業者に明らかである。
【符号の説明】
【００８７】
１０…インターネット、１００…商品タグ、１２０…ＥＳＬ、１４０…紙棚札、２００…商品タグ管理システム、２２０…商品タグコントローラ、２４０…紙棚札印刷、３００…モバイルデバイス（携帯電話）、５００…買物・精算管理システム、５１０，５５０…通信機能、５２０…買物情報取得機能、５３０…精算情報抽出機能、５４０…精算確認機能、６００…アフィリエイトシステム、６１０…買物情報管理機能、６３０…買物情報データベース、６４０…アフィリエイトデータベース、７００…ストアシステム、７１０…ＰＯＳ、７２０…精算機能、７３０…キーボード、７４０…ディスプレイ、７５０…通信機能、７６０…商品情報データベース、９００…利用者登録情報データベース
【図１】
2014109868.tif 000003
【図２】
2014109868.tif 000004
【図３】
2014109868.tif 000005
【図４】
2014109868.tif 000006
【図５】
2014109868.tif 000007
【図６】
2014109868.tif 000008
【図７】
2014109868.tif 000009
【図８】
2014109868.tif 000010
【図９】
2014109868.tif 000011
【図１０】
2014109868.tif 000012
【図１１】
2014109868.tif 000013
【図１２】
2014109868.tif 000014
【図１３】
2014109868.tif 000015
【図１４】
2014109868.tif 000016
【図１５】
2014109868.tif 000017
【図１６】
2014109868.tif 000018
【図１７】
2014109868.tif 000019
【図１８】
2014109868.tif 000020
【図１９】
2014109868.tif 000021
【図２０−１】
2014109868.tif 000022
【図２０−２】
2014109868.tif 000023
【図２１】
2014109868.tif 000024
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
商品又はサービスに関する情報が記録されて当該商品又はサービスに対応付けられた情報記録媒体から携帯型の情報読み取り装置で読み取られた当該情報に基づく当該商品又はサービスの購入要求を処理する装置であって、
第１のユーザが前記商品又はサービスに関連付けてアフィリエイタとして登録されるように制御する制御部と、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、当該第１のユーザを、当該第２のユーザによる当該商品又はサービスの購入を誘発したアフィリエイタに決定する決定部と
を含む、装置。
【請求項２】
前記制御部は、前記第１のユーザが、他のユーザのアフィリエイタとしての行動に起因せずに、前記商品又はサービスの購入を要求することを条件の１つとして、当該第１のユーザが当該商品又はサービスに関連付けてアフィリエイタとして登録されるように制御する、請求項１の装置。
【請求項３】
前記制御部は、前記第１のユーザが、他のユーザに関する前記商品又はサービスに対応付けられた情報記録媒体から携帯型の情報読み取り装置で情報を読み取り、当該情報に基づいて当該商品又はサービスの購入を要求することを条件の１つとして、当該第１のユーザが当該商品又はサービスに関連付けてアフィリエイタとして登録されるように制御する、請求項１の装置。
【請求項４】
前記制御部は、前記第２のユーザが前記商品又はサービスに関連付けてアフィリエイタとして登録されるように制御し、
前記決定部は、第３のユーザが、前記第２のユーザに関する前記商品又はサービスに対応付けられた情報記録媒体から携帯型の情報読み取り装置で情報を読み取り、当該情報に基づいて当該商品又はサービスの購入を要求すると、当該第２のユーザ及び当該第２のユーザによる当該商品又はサービスの購入を誘発したアフィリエイタであるユーザのうちの少なくとも１人のユーザを、当該第３のユーザによる当該商品又はサービスの購入を誘発したアフィリエイタに決定する、請求項１乃至請求項３の何れかの装置。
【請求項５】
前記決定部は、前記少なくとも１人のユーザを含む複数のユーザを、前記第３のユーザによる前記商品又はサービスの購入を誘発したアフィリエイタに決定し、
前記制御部は、前記複数のユーザの各ユーザに対して、当該各ユーザが他のユーザによる当該商品又はサービスの購入を誘発した順序に基づく量の報酬の精算が行われるように制御する、請求項４の装置。
【請求項６】
前記制御部は、前記第２のユーザの行動に起因して前記商品又はサービスの購入を要求した第３のユーザが、当該商品又はサービスに関連付けてアフィリエイタとして登録されるように制御し、
前記決定部は、第４のユーザが、前記第３のユーザに関する前記商品又はサービスに対応付けられた情報記録媒体から携帯型の情報読み取り装置で情報を読み取り、当該情報に基づいて当該商品又はサービスの購入を要求すると、当該第３のユーザ及び当該第３のユーザによる当該商品又はサービスの購入を誘発したアフィリエイタであるユーザのうちの少なくとも１人のユーザを、当該第４のユーザによる当該商品又はサービスの購入を誘発したアフィリエイタに決定する、請求項１乃至請求項３の何れかの装置。
【請求項７】
前記決定部は、前記少なくとも１人のユーザを含む複数のユーザを、前記第４のユーザによる前記商品又はサービスの購入を誘発したアフィリエイタに決定し、
前記制御部は、前記複数のユーザの各ユーザに対して、当該各ユーザが他のユーザによる当該商品又はサービスの購入を誘発した順序に基づく量の報酬の精算が行われるように制御する、請求項６の装置。
【請求項８】
前記情報記録媒体は、前記商品に付された商品タグ、前記商品又はサービスを購入した証拠として渡されたレシート、及び、当該商品タグ又は当該レシートから情報を読み取った携帯型の情報読み取り装置の何れかである、請求項１乃至請求項７の何れかの装置。
【請求項９】
前記商品タグは、２次元バーコードが印刷されたタグ及びＮＦＣ（Near Field Communication）タグの何れかである、請求項８の装置。
【請求項１０】
商品情報が記録されて商品に付された商品タグから携帯型の情報読み取り装置で読み取られた当該商品情報に基づく当該商品の購入要求を処理する装置であって、
第１の購入者が、前記商品の一の個体に付された商品タグから携帯型の情報読み取り装置で前記商品情報を読み取り、当該商品情報に基づいて当該商品の当該一の個体の購入を要求すると、当該第１の購入者が当該商品の当該一の個体のアフィリエイタとなることを希望する場合には、当該第１の購入者が当該商品の当該一の個体の購入を要求していることを示し、かつ、当該第１の購入者が当該商品の当該一の個体のアフィリエイタとなることを示す第１の購入情報を取得する取得部と、
前記取得部により取得された前記第１の購入情報を用いて、前記第１の購入者による前記商品の前記一の個体の代金の精算のための情報であって、当該第１の購入者が当該商品の当該一の個体のアフィリエイタであることを示す情報である精算情報を生成することにより、当該第１の購入者による当該商品の当該一の個体の代金の精算が行われ、かつ、当該商品の当該一の個体に新たに付される新たな商品タグに前記商品情報と当該第１の購入者とを対応付けた新たな商品情報が記録されるように、制御する制御部と
を備え、
前記取得部は、第２の購入者が、前記商品の前記一の個体に付された前記新たな商品タグから携帯型の情報読み取り装置で前記新たな商品情報を読み取り、当該新たな商品情報に基づいて当該商品の当該一の個体とは異なる他の個体の購入を要求すると、当該第２の購入者が当該商品の当該他の個体の購入を要求していることを示し、かつ、当該第２の購入者による当該商品の購入が当該新たな商品情報において前記商品情報に対応付けられた前記第１の購入者のアフィリエイタとしての行動に起因することを示す第２の購入情報を取得し、
前記制御部は、前記取得部により取得された前記第２の購入情報を用いて、前記第２の購入者による前記商品の代金及び前記第１の購入者への報酬の精算のための精算情報を生成することにより、当該第２の購入者による当該商品の当該他の個体の代金の精算が行われ、かつ、当該第１の購入者への報酬の精算が行われるように、制御する、装置。
【請求項１１】
商品情報が記録されて商品に付された商品タグから携帯型の情報読み取り装置で読み取られた当該商品情報に基づく当該商品の購入要求を処理する装置であって、
第１の購入者が、前記商品の一の個体に付された商品タグから携帯型の情報読み取り装置で前記商品情報を読み取り、当該商品情報に基づいて当該商品の当該一の個体の購入を要求すると、当該第１の購入者が当該商品の当該一の個体のアフィリエイタとなることを希望する場合には、当該第１の購入者が当該商品の当該一の個体の購入を要求していることを示し、かつ、当該第１の購入者が当該商品の当該一の個体のアフィリエイタとなることを示す第１の購入情報を取得する取得部と、
前記商品の前記一の個体と前記第１の購入者とを対応付けた対応情報を記憶する記憶部と、
前記取得部により取得された前記第１の購入情報を用いて、前記第１の購入者による前記商品の代金の精算のための精算情報を生成することにより、当該第１の購入者による前記商品の代金の精算が行われるように、制御する制御部と
を備え、
前記取得部は、第２の購入者が、前記商品の前記一の個体に付された前記商品タグから携帯型の情報読み取り装置で前記商品情報を読み取り、当該商品情報に基づいて当該商品の当該一の個体とは異なる他の個体の購入を要求すると、当該第２の購入者が当該商品の当該他の個体の購入を要求していることを示す第２の購入情報を取得し、当該第２の購入者による当該商品の購入が前記対応情報において当該商品の当該一の個体に対応付けられた前記第１の購入者のアフィリエイタとしての行動に起因することを示すように当該第２の購入情報を更新し、
前記制御部は、前記取得部による更新後の前記第２の購入情報を用いて、前記第２の購入者による前記商品の代金及び前記第１の購入者への報酬の精算のための精算情報を生成することにより、当該第２の購入者による当該商品の当該他の個体の代金の精算が行われ、かつ、当該第１の購入者への報酬の精算が行われるように、制御する、装置。
【請求項１２】
商品又はサービスに関する情報が記録されて当該商品又はサービスに対応付けられた情報記録媒体から携帯型の情報読み取り装置で読み取られた当該情報に基づく当該商品又はサービスの購入要求を処理するシステムであって、
前記商品又はサービスに対応付けられる情報記録媒体に第１のユーザが当該商品又はサービスのアフィリエイタであることを示すアフィリエイト情報を記録する記録部と、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、前記アフィリエイト情報により当該商品又はサービスのアフィリエイタであることが示される当該第１のユーザを、当該第２のユーザによる当該商品又はサービスの購入を誘発したアフィリエイタに決定する決定部と、
前記決定部により前記第２のユーザによる前記商品又はサービスの購入を誘発したアフィリエイタに決定された前記第１のユーザへの報酬の精算処理を行う精算処理部と
を含む、システム。
【請求項１３】
商品又はサービスに関する情報が記録されて当該商品又はサービスに対応付けられた情報記録媒体から携帯型の情報読み取り装置で読み取られた当該情報に基づく当該商品又はサービスの購入要求を処理する方法であって、
第１のユーザを前記商品又はサービスに関連付けてアフィリエイタとして登録するステップと、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、当該第１のユーザを、当該第２のユーザによる当該商品又はサービスの購入を誘発したアフィリエイタに決定するステップと
を含む、方法。
【請求項１４】
商品又はサービスに関する情報が記録されて当該商品又はサービスに対応付けられた情報記録媒体から携帯型の情報読み取り装置で読み取られた当該情報に基づく当該商品又はサービスの購入要求を処理する装置として、コンピュータを機能させるプログラムであって、
前記コンピュータを、
第１のユーザが前記商品又はサービスに関連付けてアフィリエイタとして登録されるように制御する制御部と、
第２のユーザが、前記第１のユーザに関する前記商品又はサービスに対応付けられた情報記録媒体から携帯型の情報読み取り装置で情報を読み取り、当該情報に基づいて当該商品又はサービスの購入を要求すると、当該第１のユーザを、当該第２のユーザによる当該商品又はサービスの購入を誘発したアフィリエイタに決定する決定部と
して機能させる、プログラム。
【手続補正２】
【補正対象書類名】明細書
【補正対象項目名】００１１
【補正方法】変更
【補正の内容】
【００１１】
また、制御部は、第２のユーザが商品又はサービスに関連付けてアフィリエイタとして登録されるように制御し、決定部は、第３のユーザが、第２のユーザに関する商品又はサービスに対応付けられた情報記録媒体から携帯型の情報読み取り装置で情報を読み取り、情報に基づいて商品又はサービスの購入を要求すると、第２のユーザ及び第２のユーザによる商品又はサービスの購入を誘発したアフィリエイタであるユーザのうちの少なくとも１人のユーザを、第３のユーザによる商品又はサービスの購入を誘発したアフィリエイタに決定する、ものであってよい。
その場合、決定部は、少なくとも１人のユーザを含む複数のユーザを、第３のユーザによる商品又はサービスの購入を誘発したアフィリエイタに決定し、制御部は、複数のユーザの各ユーザに対して、各ユーザが他のユーザによる商品又はサービスの購入を誘発した順序に基づく量の報酬の精算が行われるように制御する、ものであってもよい。
また、制御部は、第２のユーザの行動に起因して商品又はサービスの購入を要求した第３のユーザが、商品又はサービスに関連付けてアフィリエイタとして登録されるように制御し、決定部は、第４のユーザが、第３のユーザに関する商品又はサービスに対応付けられた情報記録媒体から携帯型の情報読み取り装置で情報を読み取り、情報に基づいて商品又はサービスの購入を要求すると、第３のユーザ及び第３のユーザによる商品又はサービスの購入を誘発したアフィリエイタであるユーザのうちの少なくとも１人のユーザを、第４のユーザによる商品又はサービスの購入を誘発したアフィリエイタに決定する、ものであってよい。
その場合、決定部は、少なくとも１人のユーザを含む複数のユーザを、第４のユーザによる商品又はサービスの購入を誘発したアフィリエイタに決定し、制御部は、複数のユーザの各ユーザに対して、各ユーザが他のユーザによる商品又はサービスの購入を誘発した順序に基づく量の報酬の精算が行われるように制御する、ものであってもよい。
また、情報記録媒体は、商品に付された商品タグ、商品又はサービスを購入した証拠として渡されたレシート、及び、商品タグ又はレシートから情報を読み取った携帯型の情報読み取り装置の何れかであってよい。
その場合、商品タグは、２次元バーコードが印刷されたタグ及びＮＦＣ（Near Field Communication）タグの何れかであってよい。
【手続補正３】
【補正対象書類名】明細書
【補正対象項目名】００７５
【補正方法】変更
【補正の内容】
【００７５】
即ち、図１９の利用者Ａ，Ｄ，Ｅ，Ｆの連鎖において、例えば利用者Ｄについてアフィリエイタとして登録する場合と登録しない場合とが考えられる。前者の場合は、利用者Ａが第１のユーザの一例であり、利用者Ｄが第２のユーザの一例であり、利用者Ｅが第３のユーザの一例である。後者の場合は、利用者Ａが第１のユーザの一例であり、利用者Ｄが第２のユーザの一例であり、利用者Ｅが第３のユーザの一例であり、利用者Ｆが第４のユーザの一例である。また、同じ利用者Ａ，Ｄ，Ｅ，Ｆの連鎖において、例えば利用者Ｅについてもアフィリエイタとして登録する場合と登録しない場合とが考えられる。前者の場合は、利用者Ｄが第１のユーザの一例であり、利用者Ｅが第２のユーザの一例であり、利用者Ｆが第３のユーザの一例である。後者の場合は、利用者Ｄが第１のユーザの一例であり、利用者Ｅが第２のユーザの一例であり、利用者Ｆが第３のユーザの一例であり、利用者Ｆの次の利用者が第４のユーザの一例である。